(57)【要約】      （修正有）【課題】分解組立が容易で且つ軽量となり、携帯が容易な組立マイクスタンドを提供する。【解決手段】ハンドマイクＡの保持部を備えて杆部材への連結装着機構を有するマイク保持部材（マイク保持体１及び上部連結体２）と、差込連繋構造で連接して組立及び分解を可能とした複数の杆部材３ａと、杆部材３ａの下端に差込連繋構造で連結される中央柱部及び中央柱部下端から三方又は四方に突設した足連結部を備えた分岐体４と、足連結部に差込連繋構造で連結される複数の足部材５で構成してなる。【選択図】図１
0003190682.tif 000002
【実用新案登録請求の範囲】
【請求項１】
ハンドマイクの保持部を備えて杆部材への連結装着機構を有するマイク保持部材と、差込連繋構造で連接して組立及び分解を可能とした複数の杆部材と、前記杆部材の下端に差込連繋構造で連結される中央柱部及び中央柱部下端から三方又は四方に突設した足連結部を備えた分岐体と、前記足連結部に差込連繋構造で連結される複数の足部材で構成してなることを特徴とする携帯用組立マイクスタンド。
【請求項２】
ハンドマイクの保持部を備えて杆部材への連結装着機構を有するマイク保持部材と、差込連繋構造で連接して組立及び分解を可能とした複数の杆部材と、前記杆部材の下端に差込連繋構造で連結される中央柱部及び中央柱部下端から三方又は四方に突設した足連結部を備えた分岐体と、前記足連結部に差込連繋構造で連結される複数の足部材と、杆部材の頂部に差込連繋構造で連結する脚連結体、及び前記脚連結体の連結軸方向と交差する軸方向で回動自在に脚連結体に連結し、差込連繋構造で杆部材を連接する腕連結体で形成した関節連結部材で構成してなることを特徴とする携帯用組立マイクスタンド。
【請求項３】
杆部材及び足部材を、同一内径の樹脂製筒体又は紙製筒体で形成し、各筒体に密挿入される挿入部と、挿入部の中間に設けた鍔部を備えた中間連結体で差込連繋を行ってなる請求項１又は２記載の携帯用組立マイクスタンド。
【請求項４】
杆部材を３０ｃｍ３本と、１５ｃｍ数本から構成してなる請求項１乃至３記載の何れかの携帯用組立マイクスタンド。
【請求項５】
マイク保持部材を、ハンドマイクの保持部及び保持部背面から突設した連結部を備えたマイク保持体と、前記のマイク保持体の連結部と杆部材の頂部を連結する上部連結体とで構成してなる請求項１乃至４記載の何れかの携帯用組立マイクスタンド。
【考案の詳細な説明】
【技術分野】
【０００１】
本考案は、カラオケボックスなどに携帯できる組立マイクスタンドに関するものである。
【背景技術】
【０００２】
マイクスタンドは周知のとおり、マイクを挟持或いは抱持するマイク支持部と、前記マイク支持部を頂部に設けると共にマイク位置を所定の高さに保持する脚杆と、前記脚杆を安定させて起立させる足部で構成されており、一般には脚杆が金属管で伸縮自在に形成されている（特許文献１）。また軽量化を図るためにチタンで形成することも提案されている（特許文献２）。
【０００３】
また近年カラオケボックスと称されている歌唱を楽しむためのレンタルルームでは、マイクスタンドを備えておらず、ハンドマイクのみを使用している。このハンドマイクを持たずにハンドフリーとするために、特に首に掛けることができるフレキシブル螺旋管にマイクを抱持できるマイク保持部を付設したハンドマイク保持具が知られている（特許文献３）。
【先行技術文献】
【特許文献】
【０００４】
【特許文献１】特開２００２−１３５８７５号。
【特許文献２】特開２０００−７８６７７号。
【特許文献３】登録実用新案３１２６１７１号公報。
【考案の概要】
【考案が解決しようとする課題】
【０００５】
歌唱と共に振付けのダンスを行うことが近年好まれているが、カラオケボックスなどでは、マイクスタンドが設置されておらず、ハンドフリーの状態で歌唱することができなく、また特許文献３に示されているようなハンドマイク保持具では、歌唱と共にダンスを行おうとしてもマイクが邪魔になってしまう。
【０００６】
またカラオケボックスに従前のマイクスタンドを仮に設置したとしても、カラオケボックスでは酒食を提供するために、酒気帯び状態で、スチール製のマイクスタンドを振り回される恐れもあり、危険である。
【０００７】
そこで本考案は、カラオケボックスなどに携帯でき、軽量で且つ安全な携帯用組立マイクスタンドを提案したものである。
【課題を解決するための手段】
【０００８】
本願請求項１記載の考案に係る携帯用組立マイクスタンドは、ハンドマイクの保持部を備えて杆部材への連結装着機構を有するマイク保持部材と、差込連繋構造で連接して組立及び分解を可能とした複数の杆部材と、前記杆部材の下端に差込連繋構造で連結される中央柱部及び中央柱部下端から三方又は四方に突設した足連結部を備えた分岐体と、前記足連結部に差込連繋構造で連結される複数の足部材で構成してなることを特徴とする
【０００９】
而して杆部材を連繋接続して所望の高さの脚杆を形成し、脚杆頂部にマイク保持部材を連結し、分岐体に足部材を連結して脚杆下端を分岐体に連結接続すると、脚杆は起立し、マイク保持部にマイクを装着することで、マイクスタンドとして使用されるものである。特に前記のマイクスタンドは、差込連繋を解除すると分解され、コンパクトに収納され容易に携帯できる。
【００１０】
本願請求項２記載の考案に係る携帯用組立マイクスタンドは、前記のマイク保持部材と複数の杆部材と分岐体と足部材に、関節連結部材を加えて構成してなるもので、関節連結部材は、杆部材の頂部に差込連繋構造で連結する脚連結体、及び前記脚連結体の連結軸方向と交差する軸方向で回動自在に脚連結体に連結し、差込連繋構造で杆部材を連接する腕連結体で形成したものである。
【００１１】
而して杆部材を連結接続してやや高さの低い脚杆を形成し、足部材を連結した分岐体に脚杆下端を接続して脚杆を起立させると共に、脚杆頂部に関節連結部材を装着し、間接連結部材の腕連結体に杆部材を連結属して適宜長さの腕杆を形成し、腕杆の先端にマイク保持部材を連結し、マイク保持部にマイクを装着することで、マイクスタンドとして使用されるものである。
【００１２】
また本願請求項３記載の考案に係る携帯用組立マイクスタンドは、前記スタンドにおいて特に、杆部材及び足部材を、同一内径の樹脂製筒体又は紙製筒体で形成し、各筒体に密挿入される挿入部と、挿入部の中間に設けた鍔部を備えた中間連結体で差込連繋を行ってなるもので、構成部材の大部分が樹脂製筒体又は紙製筒体で形成されており、軽量化が実現し、また同一内径とすることで中間連結体も含め多数の同一部材で構成することで製造コストの低廉化を実現する。
【００１３】
また本願請求項４記載に係る携帯用組立マイクスタンドは、特に杆部材を３０ｃｍ３本と、１５ｃｍ数本から構成するもので、３０ｃｍ３本を連繋することで９０ｃｍの高さを確保でき、１５ｃｍの脚杆部材の連繋本数でマイク保持高さの調整ができるものである。
【考案の効果】
【００１４】
本考案の構成は上記のとおりで、分解組立が容易で軽量化を実現した携帯用組立マイクスタンドを所望の箇所に携帯することで、当該箇所でのハンドマイクをハンドフリーで使用することができるものである。
【図面の簡単な説明】
【００１５】
【図１】本考案の第一実施形態の組立後の全体斜視図。
【図２】同組立説明図（マイク保持部材の説明図）。
【図３】同図（杆部材の連繋）。
【図４】同図（分岐体と足部材の連結）。
【図５】本考案の第二実施形態の組立後の全体斜視図。
【図６】同関節連結部材の説明図。
【図７】同分岐体の別例図。
【考案を実施するための形態】
【００１６】
次に本考案の実施形態について説明する。図１乃至４は第一実施形態を示したもので、この実施形態の携帯用組立マイクスタンドは、マイク保持部材を構成するマイク保持体１及び上部連結体２と、５本若しくは６本の杆部材３（長杆部材３ａ，短杆部材３ｂ）と、分岐体４と、４本の足部材５と１０個の中間連結体６からなる。
【００１７】
マイク保持体１は、ハンドマイクＡの保持部１１と連結部１２を備えたもので、保持部１１は上方開口の半円断面の受筒状に形成し、ハンドマイクＡを弾性挟持力でしっかりと保持できるようにしてなり、連結部１２は前記保持部１１の背面中間に突設したもので、螺穴１２１を下端面に形成したものである。
【００１８】
上部連結体２は、上方に前記螺穴１２１に螺合する螺軸２１を設け、下方に後述する脚杆部材３ａ（３ｂ）の筒穴３１に密挿する外径の挿入軸２２を設け、その中間に前記螺軸２１及び挿入軸２２より大径の鍔部２３を設けたものである。
【００１９】
杆部材３は、樹脂製又は紙製の適宜な太さの筒体で、３本の長さ３０ｃｍ程度の長杆部材３ａと３本若しくは２本（図示例は３本）の長さ１５ｃｍ程度の短杆部材３ｂからなり、既製部品をそのまま採用できる。
【００２０】
分岐体４は、前記杆部材３と同一径の筒形状で、中央柱部４１及び前記中央柱部４１の下端から四方（又は三方）に突設した筒状の足連結部４２を備えたものである。
【００２１】
足部材５は、前記杆部材３と同一の既製部品をそのまま採用でき、長短杆部材３ａ，３ｂのいずれかと同一の形状である。
【００２２】
中間連結体６は、上下に挿入部６１を設け、中間に鍔部６２を設けたもので、挿入部６１は、その外径を杆部材３、分岐体４及び足部材５の筒穴径と一致させ、鍔部６２の外径は前記を杆部材３、分岐体４及び足部材５の外径と一致させてなるものである。
【００２３】
而して前記の各部材は、分解状態で携帯し、所望の箇所で組立て使用するもので、組立は、マイク保持体１の連結部１２の螺穴１２１に上部連結体２の螺軸２１を螺入してマイク保持部材を形成する。
【００２４】
杆部材３は、中間連結体６の挿入部６１を杆部材３の各筒穴３１に密挿し、長杆部材３ａと任意本数の短杆部材３ｂを連繋して脚杆を形成する。また分岐体４の足連結部４２に中間連結体６を装着し、中間連結体６を介在させて足部材５を連結する。
【００２５】
更に前記脚杆の頂部（最上段の短杆部材３ｂの筒穴３１）に、マイク保持体１と連結した上部連結体２の挿入軸２２を密挿して連結し、脚杆の下端部（最下段の長杆部材３ａ）を、中間連結体６を介在させて分岐体４の中央柱部４１と連結すると、図１に示すとおりマイクスタンドが組み立てられるものである。
【００２６】
このように簡単に分解組立が容易であり、構成部材の大部分を占める杆部材３及び足部材５が樹脂製又は紙製の筒体で構成することで軽量化が実現し、容易に携帯できるものである。
【００２７】
また図５乃至７は第二実施形態を示したもので、この実施形態の携帯用組立マイクスタンドは、脚杆の上部から腕杆を伸ばした構成として使用できるようにしたもので、前記第一実施形態と同様のマイク保持部材（マイク保持体１及び上部連結体２）と、適宜数の長短杆部材３ａ，３ｂと、４本の足部材５と適宜数の中間連結体６を備え、前記第一実施形態と相違する構造の分岐体４ａを採用すると共に、関節連結部材７を採用したものである。
【００２８】
分岐体４ａは、第一実施形態の分岐体４と中間連結体６を組み合わせて一体とした構成で、杆部材３と同一外径の中央柱部４１ａ及び前記中央柱部４１ａの下端から四方（又は三方）に足連結部４２ａを突設すると共に、中央柱部４１ａ及び足連結部４２ａの端面に脚連結軸４３及び足連結軸４４を突設し、前記脚連結軸４３及び足連結軸４４に、それぞれ杆部材３及び足部材５を連結装着するものである。
【００２９】
関節連結部材７は、脚連結体７１と腕連結体７２で構成され、脚連結体７１は、本体部７１１の側面に装着孔（螺孔でも良い）７１２を設け、下面に脚連結軸７１３を突設したものである。
【００３０】
また腕連結体７２は、本体部７２１の側面に、前記装着孔（螺孔）７１２に所望角度で装着することのできる回動連結軸（螺孔の場合は螺軸）７２２を突設し、前後端面に杆部材３ａ，３ｂを連結できる腕連結軸７２３を設けたもので、この腕連結体７２を脚連結体７１に接続するものである。
【００３１】
而して前記の部材を使用する第二実施形態のマイクスタンドは、図５に示すように分岐体４ａに足部材５を連結し、杆部材３ａ，３ｂを中間連結体６で連繋接続したやや短めの脚杆Ｂを分岐体に接続して起立させると共に、脚杆頂部に脚連結体７１の脚連結軸７１３を連結装着し、脚連結体７１に接続している腕連結体７２の腕連結軸７２３に、杆部材３ａ，３ｂを適宜長に連繋して形成した腕杆Ｃを連結し、腕杆の先端にマイク保持部材（マイク保持体１及び上部連結体２）を連結し、マイク保持部１１にマイクＡを保持させるものである。
【００３２】
従ってこの第二実施形態は、脚杆Ｂの頂部から腕杆Ｃが延びている形態のマイクスタンドとして組立て、使用するものである。
【符号の説明】
【００３３】
１      マイク保持体
１１    保持部
１２    連結部
１２１    螺穴
２      上部連結体
２１    螺軸
２２    挿入軸
２３    鍔部
３ａ    長杆部材
３ｂ    短杆部材
３１    筒穴
４，４ａ      分岐体
４１，４１ａ    中央柱部
４２，４２ａ    足連結部
４３    脚連結軸
４４    足連結軸
５      足部材
６      中間連結体
６１    挿入部
６２    鍔部
７      関節連結部材
７１    脚連結体
７１１    本体部
７１２    装着孔
７１３    脚連結軸
７２      腕連結体
７２１    本体部
７２２    回動連結軸
７２３    腕連結軸
【図１】
0003190682.tif 000003
【図２】
0003190682.tif 000004
【図３】
0003190682.tif 000005
【図４】
0003190682.tif 000006
【図５】
0003190682.tif 000007
【図６】
0003190682.tif 000008
【図７】
0003190682.tif 000009